(57)【要約】【課題】視対象の観覧の仕方にかかわらず、視対象の色再現性を向上できる照明装置を提供する。【解決手段】照明装置10は、光源部12および電源部13を備える。光源部12は、青色光源Ｂ、緑色光源Ｇ、ピーク波長の異なる第１および第２の赤色光源Ｒ１，Ｒ２を有する。電源部13は、青色光源Ｂおよび緑色光源Ｇを点灯させるとともに第１および第２の赤色光源Ｒ１，Ｒ２の出力を切り換えて演色性を変化させる。【選択図】図１
2016143601.tif 000002
【特許請求の範囲】
【請求項１】
青色光源、緑色光源、ピーク波長の異なる第１および第２の赤色光源を有する光源部と；
前記青色光源および前記緑色光源を点灯させるとともに前記第１および第２の赤色光源の出力を切り換えて演色性を変化させる電源部と；
を具備することを特徴とする照明装置。
【請求項２】
青色光源は４４０〜４７５ｎｍ、緑色光源は５５５〜５７０ｎｍ、第１の赤色光源は６１５〜６３５ｎｍ、第２の赤色光源は６３５〜６５０ｎｍにそれぞれピーク波長を有する
ことを特徴とする請求項１記載の照明装置。
【発明の詳細な説明】
【技術分野】
【０００１】
本発明の実施形態は、色再現性を向上させる照明装置に関する。
【背景技術】
【０００２】
従来、照明装置の演色性の評価視標として平均演色評価数（Ｒａ）が用いられている。この平均演色評価数（Ｒａ）が高いほど、視対象を直接見た場合に、実際の視対象の色再現性が高いことが知られている。
【０００３】
しかしながら、平均演色評価数（Ｒａ）が高い照明装置を用いて視対象を照明しても、視対象をテレビカメラで撮影して放送し、その放送を受信するテレビ画面に映し出した場合に、そのテレビ画面を通して見る視対象の色再現性が悪いことがある。
【先行技術文献】
【特許文献】
【０００４】
【特許文献１】特開２００７−２９４３７９号公報
【発明の概要】
【発明が解決しようとする課題】
【０００５】
本発明が解決しようとする課題は、視対象の観覧の仕方にかかわらず、視対象の色再現性を向上できる照明装置を提供することである。
【課題を解決するための手段】
【０００６】
実施形態の照明装置は、光源部および電源部を備える。光源部は、青色光源、緑色光源、ピーク波長の異なる第１および第２の赤色光源を有する。電源部は、青色光源および緑色光源を点灯させるとともに第１および第２の赤色光源の出力を切り換えて演色性を変化させる。
【発明の効果】
【０００７】
本発明によれば、視対象の観覧の仕方に対応して演色性を変化させ、視対象の色再現性を向上させることが期待できる。
【図面の簡単な説明】
【０００８】
【図１】一実施形態を示す照明装置のブロック図である。
【図２】同上照明装置の斜視図である。
【図３】同上照明装置の各光源の分光分布図である。
【図４】同上照明装置の平均演色評価数（Ｒａ）を高めた混合光の分光分布図である。
【図５】同上照明装置のテレビ照明用演色評価指数（Ｑａ）を高めた混合光の分光分布図である。
【図６】同上照明装置の平均演色評価数（Ｒａ）とテレビ照明用演色評価指数（Ｑａ）とを両立した混合光の分光分布図である。
【発明を実施するための形態】
【０００９】
以下、一実施形態を、図１ないし図６を参照して説明する。
【００１０】
図２に照明装置10の斜視図を示す。
【００１１】
照明装置10は、例えばスタジオで用いられるスポットライトである。照明装置10は、前面に投光開口11aを有する筐体11、この筐体11内に配置された光を発する光源部12、この光源源12に電力を供給する電源部13、投光開口11aに配置されて光源部12が発する光を投光するレンズ14、配光を調整するバンドア15、および筐体11を吊り下げ支持する吊下げ具16等を備えている。そして、照明装置10は、吊下げ具16によってスタジオのバトンに吊り下げ設置される。
【００１２】
図１に照明装置10のブロック図を示す。
【００１３】
光源部12は、青色光源Ｂ、緑色光源Ｇ、ピーク波長の異なる第１および第２の赤色光源Ｒ１，Ｒ２を備える。青色光源Ｂは４４０〜４７５ｎｍ、緑色光源Ｇは５５５〜５７０ｎｍ、第１の赤色光源Ｒ１は６１５〜６３５ｎｍ、第２の赤色光源Ｒ２は６３５〜６５０ｎｍにそれぞれピーク波長を有する。各光源Ｂ，Ｇ，Ｒ１，Ｒ２には、例えばＬＥＤ等の固体発光素子が用いられる。
【００１４】
電源部13は、各光源Ｂ，Ｇ，Ｒ１，Ｒ２に電力を供給し、各光源Ｂ，Ｇ，Ｒ１，Ｒ２を点灯させる。電源部13は、制御部18を有し、制御部18により各光源Ｂ，Ｇ，Ｒ１，Ｒ２を個別に調光制御する。
【００１５】
電源部13は、視対象の観覧の仕方に対応して、第１および第２の赤色光源Ｒ１，Ｒ２の出力（点灯出力）を切り換えて演色性を変化させる。視対象の観覧の仕方としては、視対象を直接見る場合と、視対象をテレビカメラで撮影して放送し、その放送を受信するテレビに映し出された映像を見る場合とが含まれる。第１および第２の赤色光源Ｒ１，Ｒ２の出力の切り換えには、第１の赤色光源Ｒ１のみを出力する場合、第２の赤色光源Ｒ２のみを出力する場合、第１および第２の赤色光源Ｒ１，Ｒ２の両方を出力する場合が含まれる。そして、制御部18は、例えば調光操作卓等の制御装置から視対象の観覧の仕方に対応した切換信号（調光信号）を入力し、各光源Ｂ，Ｇ，Ｒ１，Ｒ２を調光制御する。
【００１６】
そして、照明装置10の実施例として、図３に各光源Ｂ，Ｇ，Ｒ１，Ｒ２の分光分布図を示す。青色光源Ｂはピーク波長４６５ｎｍおよび半値全幅９０ｎｍ、緑色光源Ｇはピーク波長５５５ｎｍおよび半値全幅９０ｎｍ、第１の赤色光源Ｒ１はピーク波長６２０ｎｍおよび半値全幅５０ｎｍ、第２の赤色光源Ｒ２はピーク波長６４５ｎｍおよび半値全幅７０ｎｍであり、それぞれ１ｌｍあたりの放射束を示す。
【００１７】
図４は、青色光源Ｂ：緑色光源Ｇ：第１の赤色光源Ｒ１＝４０：３８：２２の光束比で混光したときの分光分布図である。このときの相関色温度は５３００Ｋ（Δｕｖ＝０．００２）、平均演色評価数（Ｒａ）は９４、テレビ照明用演色評価指数（Ｑａ）は８３であった。そのため、平均演色評価数（Ｒａ）が高い分光分布のパターンとなった。
【００１８】
平均演色評価数（Ｒａ）は、視対象を直接見た場合の演色性の評価視標であり、この平均演色評価数（Ｒａ）が高いほど、実際の視対象の色再現性が高い。また、テレビ照明用演色評価指数（Ｑａ）は、テレビ放映時（テレビカメラで撮影してディスプレイを見たとき）の演色性の評価指標であり、欧州放送連合（ＥＢＵ）が推奨するＴＬＣＩ（Television Lighting Consistency Index,略記号Ｑａ）であり、このテレビ照明用演色評価指数（Ｑａ）が高いほど、テレビに映し出される映像の色再現性が高い。
【００１９】
図５は、青色光源Ｂ：緑色光源Ｇ：第２の赤色光源Ｒ２＝３６：３０：３４の光束比で混光したときの分光分布図である。このときの相関色温度は５２９０Ｋ（Δｕｖ＝−０．００５）、平均演色評価数（Ｒａ）は８６、テレビ照明用演色評価指数（Ｑａ）は９４であった。そのため、テレビ照明用演色評価指数（Ｑａ）が高い分光分布のパターンとなった。
【００２０】
図６は、青色光源Ｂ：緑色光源Ｇ：第１の赤色光源Ｒ１：第２の赤色光源Ｒ２＝４２：３２：２０：６の光束比で混光したときの分光分布図である。このときの相関色温度は５３７０Ｋ（Δｕｖ＝−０．００６）、平均演色評価数（Ｒａ）は９０、テレビ照明用演色評価指数（Ｑａ）は９１であった。そのため、平均演色評価数（Ｒａ）およびテレビ照明用演色評価指数（Ｑａ）とも平均して高くなる分光分布のパターンとなった。
【００２１】
そして、例えば料理やダンス教室のスタジオにおいて、普段、一般向けに開放しているときは、図４のような平均演色評価数（Ｒａ）の高い分光分布のパターンで照明装置10を点灯させることにより、視対象を直接見たときの色の見えを向上させることができる。
【００２２】
また、テレビ撮影として利用するときには、図５のようなテレビ照明用演色評価指数（Ｑａ）の高い分光分布のパターンで照明装置10を点灯させることにより、テレビ画面を通して見たときの色の見えを向上させることができる。
【００２３】
さらに、一般観覧客が入る場でのテレビ撮影時には、図６のような平均演色評価数（Ｒａ）およびテレビ照明用演色評価指数（Ｑａ）が平均して高くなる分光分布のパターンで照明装置10を点灯させることにより、直接見たときとテレビ画面を通して見たときの色の見えを両立させることができる。
【００２４】
このように、照明装置10によれば、視対象の観覧の仕方に対応して演色性を変化させ、いずれでも視対象の色再現性を向上させることが期待できる。
【００２５】
なお、照明装置は、スタジオで用いられるスポットライトに限らず、スタジオで使用される他の照明装置にも適用でき、また、例えば競技場の投光器等にも適用できる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
10    照明装置
12    光源部
13    電源部
Ｂ    青色光源
Ｇ    緑色光源
Ｒ１  第１の赤色光源
Ｒ２  第２の赤色光源
【図１】
2016143601.tif 000003
【図２】
2016143601.tif 000004
【図３】
2016143601.tif 000005
【図４】
2016143601.tif 000006
【図５】
2016143601.tif 000007
【図６】
2016143601.tif 000008